(57)【要約】【課題】ユーザの使い勝手を格段的に向上させ得る記録再生装置及び記録再生方法を提案する。【解決手段】記録媒体に記録された動画映像情報に対して、当該動画映像情報に基づく動画の撮影直後に撮影した静止画と、記録媒体に記録されている任意の静止画と、当該動画映像情報に基づく動画中の任意のフレームのフレーム画像とのうちの指定された画像をサムネイル用静止画として関連付け、外部操作に応じて、記録媒体に記録された各動画映像情報にそれぞれ関連付けられたサムネイル用静止画のサムネイルの一覧を表示するようにした。【選択図】図６
2009171417.tif 000002
【特許請求の範囲】
【請求項１】
撮影により得られた動画の映像情報でなる動画映像情報又は静止画の映像情報でなる静止画映像情報を記録媒体に記録し、前記記録媒体に記録された前記動画映像情報又は前記静止画映像情報を再生する記録再生装置において、
前記記録媒体に記録された前記動画映像情報に対して、当該動画映像情報に基づく動画の撮影直後に撮影した静止画と、前記記録媒体に記録されている任意の静止画と、当該動画映像情報に基づく動画中の任意のフレームのフレーム画像とのうちの指定された画像をサムネイル用静止画として関連付ける関連付け部と、
外部操作に応じて、前記記録媒体に記録された各前記動画映像情報にそれぞれ関連付けられた前記サムネイル用静止画のサムネイルの一覧を表示するサムネイル一覧表示部と
を備えることを特徴とする記録再生装置。
【請求項２】
前記関連付け部は、
前記サムネイル用静止画として関連付けるべき画像が指定されなかった前記動画映像情報に対しては、当該動画映像情報に基づく動画の先頭フレームのフレーム画像を前記サムネイル用静止画として関連付ける
ことを特徴とする請求項１に記載の記録再生装置。
【請求項３】
前記関連付け部は、
各前記動画映像情報について、当該前記動画映像情報に関連付けられた前記サムネイル用静止画の変更履歴を管理し、
外部操作に応じて、前記動画映像情報に関連付けられている前記サムネイル用静止画を、当該動画映像情報に過去に前記サムネイル用静止画として関連付けられていた画像に変更する
ことを特徴とする請求項１に記載の記録再生装置。
【請求項４】
前記サムネイル用静止画を撮影するための専用のボタンを備え、
前記関連付け部は、
前記ボタンが押下されたタイミングで静止画を取得し、取得した前記静止画を前記記録媒体に記録された前記動画映像情報のうちの指定された前記動画映像情報に前記サムネイル用静止画として関連付ける
ことを特徴とする請求項１に記載の記録再生装置。
【請求項５】
前記記録再生装置は、
前記サムネイル用静止画を撮影するための専用のボタンを備え、
前記関連付け部は、
前記ボタンを複数回押下して複数の静止画を取得し、前記記録媒体に記録された前記動画映像情報１つに対して、取得した複数の前記静止画を関連付ける
ことを特徴とする請求項１に記載の記録再生方法。
【請求項６】
前記記録再生装置は、
前記サムネイル用静止画を撮影するための専用のボタンを備え、
前記関連付け部は、
前記記録媒体に記録された前記動画映像情報に関連付けられた、複数の静止画のうち、指定された静止画をサムネイル用静止画として使用する
ことを特徴とする請求項５に記載の記録再生方法。
【請求項７】
前記サムネイル用静止画を撮影するための専用のボタンを備え、
前記関連付け部は、
前記記録媒体に記録された前記動画映像情報の再生中に前記ボタンが押下されたときには、当該動画映像情報に基づく動画中の前記ボタンが押下されたときに再生されていたフレームのフレーム画像を前記サムネイル用静止画として当該動画映像情報に関連付ける
ことを特徴とする請求項１に記載の記録再生装置。
【請求項８】
撮影により得られた動画の映像情報でなる動画映像情報又は静止画の映像情報でなる静止画映像情報を記録媒体に記録し、前記記録媒体に記録された前記動画映像情報又は前記静止画映像情報を再生する記録再生装置における記録再生方法において、
前記記録媒体に記録された前記動画映像情報に対して、当該動画映像情報に基づく動画の撮影直後に撮影した静止画と、前記記録媒体に記録されている任意の静止画と、当該動画映像情報に基づく動画中の任意のフレームのフレーム画像とのうちの指定された画像をサムネイル用静止画として関連付ける第１のステップと、
外部操作に応じて、前記記録媒体に記録された各前記動画映像情報にそれぞれ関連付けられた前記サムネイル用静止画のサムネイルの一覧を表示する第２のステップと
を備えることを特徴とする記録再生方法。
【請求項９】
前記第１のステップでは、
前記サムネイル用静止画として関連付けるべき画像が指定されなかった前記動画映像情報に対しては、当該動画映像情報に基づく動画の先頭フレームのフレーム画像を前記サムネイル用静止画として関連付ける
ことを特徴とする請求項８に記載の記録再生方法。
【請求項１０】
前記第１のステップでは、
各前記動画映像情報について、当該前記動画映像情報に関連付けられた前記サムネイル用静止画の変更履歴を管理し、
外部操作に応じて、前記動画映像情報に関連付けられている前記サムネイル用静止画を、当該動画映像情報に過去に前記サムネイル用静止画として関連付けられていた画像に変更する
ことを特徴とする請求項８に記載の記録再生方法。
【請求項１１】
前記記録再生装置は、
前記サムネイル用静止画を撮影するための専用のボタンを備え、
前記第１のステップでは、
前記ボタンが押下されたタイミングで静止画を取得し、取得した前記静止画を前記記録媒体に記録された前記動画映像情報のうちの指定された前記動画映像情報に前記サムネイル用静止画として関連付ける
ことを特徴とする請求項８に記載の記録再生方法。
【請求項１２】
前記記録再生装置は、
前記サムネイル用静止画を撮影するための専用のボタンを備え、
前記第１のステップでは、
前記記録媒体に記録された前記動画映像情報の再生中に前記ボタンが押下されたときには、当該動画映像情報に基づく動画中の前記ボタンが押下されたときに再生されていたフレームのフレーム画像を前記サムネイル用静止画として当該動画映像情報に関連付ける
ことを特徴とする請求項８に記載の記録再生方法。
【発明の詳細な説明】
【技術分野】
【０００１】
本発明は、記録再生装置及び記録再生方法に関し、例えばビデオカメラに適用して好適なものである。
【背景技術】
【０００２】
近年、ビデオカメラとして、記録した動画映像情報の一覧を表示する際に、各動画映像情報の代表となる１フレーム分のフレーム画像をサムネイルとして表示し得るようになされたものが多く登場している。
【０００３】
この場合において、ユーザが効率良く目的の動画映像情報にたどり着くためには、かかるサムネイルは動画映像情報の内容や特徴を最も良く表す画像であることが望ましい。
【０００４】
そこで、下記特許文献１では、ユーザが別途製作した静止画及び文字画像を、装置内の記憶媒体に記録されている動画映像情報と関連付けるテーブルを作成する技術を開示している。また下記特許文献２では、ユーザが動画映像情報を再生した回数に応じて映像単位（例えば、フレーム）毎に重要度を算出し、重要度の高いフレームを、動画映像情報の特徴を最も良く表す画像としてサムネイルに設定する技術を開示している。
【特許文献１】特開平１１−２２５７１８号公報
【特許文献２】特開２２０７−１８９４４８号公報
【発明の開示】
【発明が解決しようとする課題】
【０００５】
従来のサムネイルの設定手法では、動画映像情報の先頭フレームのフレーム画像をサムネイルとすることが多い。しかし、かかる先頭フレームのフレーム画像が必ずしも動画映像情報の特徴を表さないため、記録されている動画映像情報数が増加すると、ユーザがかかるサムネイルの一覧を見ただけで、目的とする動画映像情報を素早く探し出すのが困難になる問題がある。
【０００６】
また特許文献１で開示されている技術によると、ユーザが別途製作した静止画画像を動画映像情報のサムネイルとして使用するために、当該情報記録再生装置とは別の装置を使用しなければならず、加えて、製作した静止画画像を情報記録再生装置に読み込む必要があり、ユーザへの負担が大きいという問題がある。
【０００７】
さらに特許文献２に開示された技術によると、重要フレームをサムネイルとして設定するためにはユーザが少なくとも１回は重要フレームを含んだ動画映像情報の再生を行わなければならず、ユーザへの負担が発生する。また、記録された動画映像情報内のフレームしかサムネイルとして使用できないため、ユーザの好みをサムネイルに反映し難いという問題がある。
【０００８】
本発明は以上の点を考慮してなされたもので、動画映像情報の内容を表すサムネイルの設定を簡易化させて、ユーザの使い勝手を格段的に向上させ得る記録再生装置及び記録再生方法を提案しようとするものである。
【課題を解決するための手段】
【０００９】
かかる課題を解決するため本発明においては、撮影により得られた動画の映像情報でなる動画映像情報又は静止画の映像情報でなる静止画映像情報を記録媒体に記録し、前記記録媒体に記録された前記動画映像情報又は前記静止画映像情報を再生する記録再生装置において、前記記録媒体に記録された前記動画映像情報に対して、当該動画映像情報に基づく動画の撮影直後に撮影した静止画と、前記記録媒体に記録されている任意の静止画と、当該動画映像情報に基づく動画中の任意のフレームのフレーム画像とのうちの指定された画像をサムネイル用静止画として関連付ける関連付け部と、外部操作に応じて、前記記録媒体に記録された各前記動画映像情報にそれぞれ関連付けられた前記サムネイル用静止画のサムネイルの一覧を表示するサムネイル一覧表示部とを備えることを特徴とする。
【００１０】
また本発明においては、撮影により得られた動画の映像情報でなる動画映像情報又は静止画の映像情報でなる静止画映像情報を記録媒体に記録し、前記記録媒体に記録された前記動画映像情報又は前記静止画映像情報を再生する記録再生装置における記録再生方法において、前記記録媒体に記録された前記動画映像情報に対して、当該動画映像情報に基づく動画の撮影直後に撮影した静止画と、前記記録媒体に記録されている任意の静止画と、当該動画映像情報に基づく動画中の任意のフレームのフレーム画像とのうちの指定された画像をサムネイル用静止画として関連付ける第１のステップと、外部操作に応じて、前記記録媒体に記録された各前記動画映像情報にそれぞれ関連付けられた前記サムネイル用静止画のサムネイルの一覧を表示する第２のステップとを備えることを特徴とする。
【発明の効果】
【００１１】
本発明によれば、記録された動画映像情報の内容を最も良く表すサムネイルをユーザが手軽に作成することができる。かくするにつき、記録媒体に記録された動画映像情報数が増加した場合でも、ユーザは目的の動画映像情報を素早く探し出せるようになり、かくしてユーザの使い勝手を格段的に向上させることができる。
【発明を実施するための最良の形態】
【００１２】
以下図面について、本発明の一実施の形態を詳述する。
【００１３】
（１）第１の実施の形態
（１−１）本実施の形態によるビデオカメラの構成
図１において、１は全体として本実施の形態によるビデオカメラを示す。このビデオカメラ１は、各種操作ボタンや後述する表示部の表示面に貼着されたタッチパネルなどからユーザインタフェース部３が構成され、このユーザインタフェース部３を介して入力されたユーザからの操作命令に応じて、システム制御部４が内部メモリ（図示せず）に格納された対応する制御プログラムに基づいて対応する制御処理を実行することにより、被写体の光学像を動画又は静止画としてディスク５又はメモリカード６に記録したり、当該ディスク５又はメモリカード６に記録された動画又は静止画を再生して表示部７に表示し得るようになされている。
【００１４】
実際上、システム制御部４は、ＣＰＵ（Central Processing Unit）及び内部メモリ等を備えるマイクロコンピュータとして構成されている。そしてシステム制御部４は、動画の記録モード（以下、これを動画記録モードと呼ぶ）時、ＣＣＤ（Charge Coupled Device）やＣＭＯＳ（Complementary Metal Oxide Semiconductor）などから構成されるイメージセンサ９を駆動する。このときイメージセンサ９の受光面には、レンズ８により被写体の光学像が集光される。かくしてイメージセンサ９は、この光学像を光電変換し、得られた撮影信号をアナログ／ディジタル変換部１０に送出する。
【００１５】
アナログ／ディジタル変換部１０は、供給される撮影信号をディジタル変換し、かくして得られたディジタル撮影信号をＣＯＥＤＣ（Compressor/Decompressor）部１１に送信する。
【００１６】
ＣＯＥＤＣ部１１は、供給されるディジタル撮影信号をバス１２を介して表示部７に転送する。表示部７は、例えば液晶ディスプレイや有機ＥＬディスプレイなどから構成され、供給されるディジタル撮影信号に基づく動画（以下、これをカメラスルー画と呼ぶ）を表示する。
【００１７】
またこのときＣＯＥＤＣ部１１は、システム制御部４の制御のもとに、供給されるディジタル撮影信号に対して例えばＭＰＥＧ（Moving Picture Expert Group）等の所定方式で圧縮符号化処理を施し、得られた動画映像情報をＲＡＭ（Random Access Memory）１３に格納する。
【００１８】
このＲＡＭ１３に格納された動画映像情報は、この後バス１２を介してドライブ制御部１４により読み出され、図示しないディスクドライブを介して当該ディスクドライブに装填されたＤＶＤ（Digital Versatile Disc）−ＲＡＭ等のディスク５に記録される。
【００１９】
またシステム制御部４は、動画の再生モード（以下、これを動画再生モードと呼ぶ）時には、ドライブ制御部１４を制御することにより、そのとき装填されているディスク５から動画映像情報を読み出させ、これをバス１２を介してＣＯＤＥＣ部１１に送信させる。
【００２０】
ＣＯＤＥＣ部１１は、システム制御部４の制御のもとに、ドライブ制御部１４から供給される動画映像情報に対して所定の伸張復号処理を施し、得られた再生動画映像情報をバス１２を介して表示部７に送信する。かくしてこの再生動画映像情報に基づく動画が表示部７に表示される。
【００２１】
一方、システム制御部４は、静止画の記録モード（以下、これを静止画記録モードと呼ぶ）時、動画記録モード時と同様にして、カメラスルー画像を表示部７に表示させる。またシステム制御部４は、この後ユーザインタフェース部３に設けられた静止画撮影用のシャッタボタンが押下されると、かかるシャッタボタンが押下されたタイミングで１フレーム分のディジタル撮影信号をＣＯＤＥＣ部１１に取得させる。
【００２２】
ＣＯＤＥＣ部１１は、取得した１フレーム分のディジタル撮影信号に対して例えばＪＰＥＧ（Joint Photographic Expert Group）等の所定方式で圧縮符号化処理を施し、得られた静止画映像情報をＲＡＭ１３に格納する。そしてこのＲＡＭ１３に格納された静止画映像情報は、この後バス１２を介してカード制御部１５により読み出され、そのとき装填されているＳＤカード等のメモリカード６に記録される。
【００２３】
さらにシステム制御部４は、静止画の再生モード（以下、これを静止画再生モードと呼ぶ）時には、カード制御部１５を制御することにより、そのとき装填されているメモリカード６から静止画映像情報を読み出させ、これをバス１２を介してＣＯＤＥＣ部１１に送信させる。
【００２４】
ＣＯＤＥＣ部１１は、システム制御部４の制御のもとに、カード制御部１５から供給される静止画映像情報に対して所定の伸張復号処理を施し、得られた再生静止画映像情報をバス１２を介して表示部７に送信する。かくしてこの再生静止画映像情報に基づく静止画が表示部７に表示される。
【００２５】
なおバス１２には画像サイズ変換部１６も接続されており、ＲＡＭ１３及びメモリカード６に格納された静止画映像情報や、ディスク５に記録された動画映像情報に基づく動画の１フレーム分のフレーム画像の画像情報を、この画像サイズ変換部１６によって所定サイズのサムネイル画像の画像情報に変換することができるようになされている。
【００２６】
またビデオカメラ１には、電源投入中や、充電中、ディスク５又はメモリカード６へのアクセス時などに点灯するＬＥＤ（Light Emitting Diode）や各回路等に電源電力を供給するバッテリなどの他の一般的なビデオカメラのハードウェアや機能がすべて搭載されているものとする。
【００２７】
（１−２）ビデオカメラに搭載されたサムネイルに関する各種機能
（１−２−１）サムネイル設定機能
次に、かかるビデオカメラ１に搭載されたサムネイル設定機能について説明する。
【００２８】
本実施の形態によるビデオカメラ１では、ディスク５に記録された各動画映像情報に対して所望の静止画を関連付けることができ、これら各動画映像情報にそれぞれ関連付けられた各静止画のサムネイル２１（図２）を例えば図２に示すようなサムネイル一覧画面２０上に一覧表示することができる。そしてユーザは、このサムネイル一覧画面２０から所望のサムネイルを選択することによって、当該サムネイルに関連付けられている動画映像情報を再生させることができるようになされている。
【００２９】
なお、以下においては、ディスク５に記録された動画映像情報に関連付けられた静止画をサムネイル用静止画と呼ぶ。また以下においては、適宜、動画映像情報にサムネイル用静止画を関連付けることを『動画映像情報にサムネイルを設定する』と呼び、動画映像情報に関連付けられたサムネイル用静止画のサムネイルを『動画映像情報に設定されたサムネイル』と呼ぶものとする。
【００３０】
上述のようにディスク５に記録された各動画映像情報に設定されたサムネイルを一覧表示するための手段として、ビデオカメラ１は、図３に示すようなサムネイル管理テーブル２２をディスク５上に保持している。
【００３１】
サムネイル管理テーブル２２は、そのディスク５に記録されている各動画映像情報にそれぞれ設定されたサムネイルを管理するためのテーブルであり、パス名及びファイル名欄２２Ａ、サムネイル種類欄２２Ｂ及びサムネイル用静止画所在欄２２Ｃから構成されている。
【００３２】
そしてパス名及びファイル名欄２２Ａには、ディスク５に記録された対応する動画映像情報のファイルへのパス名及びそのファイルのファイル名が格納される。またサムネイル種類欄２２Ｂには、その動画映像情報と関連付けられたサムネイル用静止画の種類を表す２ビットのコードが格納され、サムネイル用静止画所在欄２２Ｃには、かかるサムネイル用静止画の所在が格納される。
【００３３】
この場合、動画映像情報に関連付け可能なサムネイル用静止画の種類としては、当該動画映像情報に基づく動画の先頭フレームのフレーム画像と、当該動画中のユーザにより選択された任意のフレームのフレーム画像と、撮影により得られた任意の静止画との３種類が存在する。
【００３４】
そして、例えば動画映像情報に対して当該動画映像情報に基づく動画の先頭フレームのフレーム画像が関連付けられた場合には、サムネイル種類欄２２Ｂに「００」が格納され、サムネイル用静止画所在欄２２Ｃに何も格納されない。また動画映像情報に対して当該動画映像情報に基づく動画中の任意のフレームのフレーム画像が関連付けられた場合には、サムネイル種類欄２２Ｂに「０１」が格納され、サムネイル用静止画所在欄２２Ｃに当該動画におけるかかるフレームの位置を表すタイムコード（時、分、秒及びフレーム番号）が格納される。さらに動画映像情報に対して任意の静止画が関連付けられた場合には、サムネイル種類欄２２Ｂに「１０」が格納され、サムネイル用静止画所在欄２２Ｃに当該静止画のパス名及びファイル名が格納される。
【００３５】
従って、例えば図３には、「dirname」というパス上に存在する「xxx001.mpeg」というファイル名の動画映像情報に、同じパス上に存在する「yyy024.jpeg」というファイル名の静止画映像情報に基づく静止画がサムネイル用静止画として関連付けられていることが示されている。また図３には、「dirname」というパス上に存在する「xxx002.mpeg」というファイル名の動画映像情報には、当該動画中のタイムコードが「hh:mm:ss:ff」であるフレームのフレーム画像がサムネイル用静止画として関連付けられ、さらに「dirname」というパス上に存在する「xxx003.mpeg」というファイル名の動画映像情報には、当該動画の先頭のフレーム画像がサムネイル用静止画として関連付けられていることが示されている。
【００３６】
ここで、１つの動画映像情報に対して複数の静止画を関連付ける方法について述べる。そのためには、図３の２２Ａに格納された１つのファイル名に対し、複数の２２Ｂ、２２Ｃを対応させれば良い。たとえば、「xxx001.mpeg」というファイル名の動画映像情報に対して２２Ｂに「１０」２２Ｃに「dirname/yyy024.jpg」というデータと、２２Ｂに「０１」２２Ｃに「hh:mm:ss:ff」というデータを関連付けておく。関連付けされたこれらのデータは、前記動画映像情報を補足する静止画として使用する。
【００３７】
システム制御部４は、このようなサムネイル管理テーブル２２をディスク５上に作成し、動画映像情報がディスク５に記録されてその動画映像情報にサムネイル用静止画が関連付けられるごとに（その動画映像情報にサムネイルが設定されるごとに）、ディスク５上のサムネイル管理テーブル２２を更新する。またシステム制御部４は、このとき動画映像情報に関連付けられたサムネイル用静止画がメモリカード６に格納されている静止画や、そのとき撮影された静止画であったときには、その静止画のサムネイルの画像情報を作成してディスク５に格納する。
【００３８】
ここで、本実施の形態によるビデオカメラ１の場合、ディスク５に記録された動画映像情報にサムネイルを設定する方法としては、第１〜第４のサムネイル設定方法が存在する。
【００３９】
第１のサムネイル設定方法は、動画の撮影直後に所望の静止画を撮影して当該静止画をサムネイル用静止画として関連付ける方法であり、第２のサムネイル設定方法は、静止画モード（静止画記録モード及び静止画再生モード）時に、メモリカード６に格納された静止画映像情報に基づく静止画をディスク５に記録されている動画映像情報にサムネイル用静止画として関連付ける方法である。また第３のサムネイル設定方法は、動画モード（動画記録モード及び動画再生モード）時に、メモリカード６に格納されている静止画映像情報に基づく静止画をディスク５に記録されている動画映像情報にサムネイル用静止画として関連付ける方法であり、第４のサムネイル設定方法は、動画映像情報に基づく動画中の任意のフレームのフレーム画像を当該動画映像情報のサムネイル用静止画として関連付ける方法である。以下、これら第１〜第４のサムネイル設定方法について説明する。
【００４０】
（１−２−１−１）第１のサムネイル設定方法
まず、第１のサムネイル設定方法について説明する。本実施の形態によるビデオカメラ１では、動画の撮影終了時に図４に示すような静止画撮影確認ダイアログ３０が表示部に表示される。この静止画撮影確認ダイアログ３０には、『サムネイル用静止画を撮影しますか？』というメッセージ３１と、「はい」ボタン３２Ａ及び「いいえ」ボタン３２Ｂとが表示される。そして、ユーザがユーザインタフェース部３を操作して「はい」ボタン３２Ａを選択することによって、ビデオカメラ１の動作モードを、サムネイル用静止画を撮影するサムネイル撮影モードに移行させることができる。
【００４１】
ビデオカメラ１がサムネイル撮影モードに移行した場合、例えば図５に示すようなサムネイル撮影モード画面４０が表示部７に表示される。このサムネイル撮影モード画面４０は、カメラスルー画像４１の上側に『サムネイル用静止画を撮影してください』というメッセージ４２が表示されたものである。そしてユーザは、このサムネイル撮影モード画面４０が表示部７に表示されている間にユーザインタフェース部３の静止画撮影用のシャッタボタンを押下することによって、そのとき撮影した静止画を、その直前に撮影した動画のサムネイル用静止画として関連付けることができ、さらにこの静止画のサムネイルの画像情報をディスク５に記録させることができる。
【００４２】
図６は、このような第１のサムネイル設定方法に関するシステム制御部４の処理内容を示すフローチャートである。システム制御部４は、ユーザ操作に応じて動画の記録処理を開始すると、これと併せて図６に示す第１のサムネイル設定処理を開始し、まず、そのときの撮影により得られた動画映像情報をディスク５に順次記録する動画記録処理を実行する（ＳＰ１）。
【００４３】
そしてシステム制御部４は、この動画記録処理を終了すると、図４について上述した静止画撮影確認ダイアログ３０を表示部７に表示させ（ＳＰ２）、この後、ユーザがユーザインタフェース部３を操作して、静止画撮影確認ダイアログ３０の「はい」ボタン３２Ａ及び「いいえ」ボタン２３Ｂのいずれかが選択されるのを待ち受ける（ＳＰ３）。
【００４４】
そしてシステム制御部４は、静止画撮影確認ダイアログ３０の「いいえ」ボタン３２Ｂが選択された場合には、ディスク５に格納されているサムネイル管理テーブル２２（図３）上の、ステップＳＰ１において得られた動画映像情報と対応するサムネイル種類欄２２Ｂに「００」を設定することにより、その動画映像情報に当該動画映像情報に基づく動画の先頭フレームのフレーム画像をサムネイル用静止画として関連付けた後（ＳＰ４）、この第１のサムネイル設定処理を終了する。
【００４５】
これに対してシステム制御部４は、静止画撮影確認ダイアログ３０において「はい」ボタン３２Ａが選択された場合には、動作モードを上述のサムネイル撮影モードに移行させる。そしてシステム制御部４は、ＣＯＤＥＣ部１１を制御することにより、図５について上述したサムネイル撮影モード画面４０を生成させ、このサムネイル撮影モード画面４０を表示部７に表示させる（ＳＰ５）。
【００４６】
システム制御部４は、この後、静止画撮影用のシャッタボタンが押下されるのを待ち受け（ＳＰ６）、やがてかかるシャッタボタンが押下されると、その瞬間のディジタル撮影信号の１フレーム分の画像データからなる静止画映像情報をＣＯＤＥＣ部１１に取り込ませ、この静止画映像情報をＲＡＭ１３に格納させる（ＳＰ７）。
【００４７】
またシステム制御部４は、画像サイズ変換部１６を制御して、ＲＡＭに１３格納された静止画映像情報に対して当該静止画映像情報に基づく静止画をサムネイル用に縮小するための画像サイズ変換処理を施させた後、かくして得られたサムネイルの画像情報（以下、これをサムネイル画像情報と呼ぶ）をドライバ制御部１４を介してディスク５に記録させる（ＳＰ８）。
【００４８】
続いてシステム制御部４は、ステップＳＰ１においてディスク５に記録した動画映像情報のサムネイルとして、ステップＳＰ８において生成しディスク５に記録したサムネイルを設定する（ＳＰ９）。具体的に、システム制御部４は、ディスク５に格納されているサムネイル管理テーブル２２（図３）上の対応するエントリのサムネイル種類欄２２Ｂに「１０」を設定し、さらに当該エントリのサムネイル用静止画所在欄２２ＣにステップＳＰ８においてディスク５に記録したサムネイルのファイル名を格納する。そしてシステム制御部４は、この後、この第１のサムネイル設定処理を終了する。
【００４９】
以上のような機能によって、動画の記録直後にその動画のサムネイルを設定することができるため、直ちにサムネイルをカスタマイズしたいユーザの使い勝手を向上させることができる。
【００５０】
なお、ステップＳＰ７の撮影で取得した静止画映像情報は、オリジナルサイズのままメモリカード６に保存するようにしても良いし、サムネイル用に画像サイズ変換処理を施した後にメモリカード６に保存するようにしても良い。またかかる静止画映像情報をメモリカード６に保存しなくても良い。この場合、この静止画映像情報をメモリカード６に保存するか否かをメニューから設定できるようにすれば、メモリカード６の容量を節約したいユーザには便利である。
【００５１】
また動画の記録直後に次の動画記録を行いたい場合もあるので、サムネイル撮影モードをオフにすることで、ステップＳＰ１で動画の撮影を終えた後、直ぐに第１のサムネイル設定処理を終了させることができるようにビデオカメラを構築するようにしても良い。この場合には、そのときディスク５に記録された動画映像情報に対して、当該動画映像情報に基づく動画の先頭フレームのフレーム画像をサムネイル用静止画として設定すれば良い。
【００５２】
（１−２−１−２）第２のサムネイル設定方法
次に、第２のサムネイル設定方法について説明する。本実施の形態によるビデオカメラ１では、静止画モードで動作させている状態において、メモリカード６に記録されている静止画映像情報に基づく静止画を、ディスク５に記録されているいずれかの動画映像情報のサムネイル用静止画として設定することができる。
【００５３】
図７は、かかる設定を行うためのＧＵＩ（Graphical User Interface）画面（以下、これを第１のサムネイル設定画面と呼ぶ）５０の構成例を示している。この図７に示すように、第１のサムネイル設定画面５０は、選択静止画表示部５１及び動画一覧表示部５２から構成される。
【００５４】
選択静止画表示部５１には、『どのシーンに設定しますか？』とのメッセージ５３と、メモリカード６に記録されている静止画映像情報に基づく静止画のうち、例えば図２について上述したサムネイル一覧画面２０上でユーザにより選択された静止画のサムネイル５４とが表示される。
【００５５】
また動画一覧表示部５２には、ディスク５に記録されている各動画映像情報にそれぞれ設定されているサムネイル５５が複数枚表示され、これらサムネイル５５の下側にその動画映像情報に基づく動画の撮影年月日及び時間が表示される。動画一覧表示部５２に表示されたサムネイル５５は、所定操作によって１枚分ずつ左右方向にスクロールことができ、これによりディスク５に記録されているすべての動画映像情報のサムネイル５５を動画一覧部５２に順番に表示させることができる。
【００５６】
そして第１のサムネイル設定画面５０では、選択静止画表示部５１にサムネイル５４が表示された静止画をサムネイル用静止画として関連付ける動画映像情報を、動画一覧表示部５２に対応するサムネイル５５が表示された動画映像情報の中から１つ選択することができる。そして、このとき選択された動画映像情報のサムネイル５５が強調表示される。
【００５７】
なお、図７では、動画一覧表示部５２にサムネイル５５を３枚ずつ表示するようにした場合について示しているが、ユーザが認識できる範囲でサムネイル５５のスケーリングを行い、動画一覧表示部５２内により多くのサムネイル５５を表示するようにしても良い。
【００５８】
図８は、このような第２のサムネイル設定方法に関するシステム制御部４の処理内容を示すフローチャートである。システム制御部４は、動作モードとして静止画モードが設定されている状態において、メモリカード６に記録された各静止画映像情報に基づく静止画のサムネイルの一覧画面の表示命令が入力されると、この図８に示す第２のサムネイル設定処理を開始する。そしてシステム制御部４は、まず、メモリカード６から各静止画映像情報を読み出し、これらを画像サイズ変換部１５においてサムネイルの画像情報に変換させた後に、これら画像情報に基づいて図２について上述したサムネイル一覧画面２０を生成し、これを表示部７に表示させる（ＳＰ１０）。
【００５９】
続いてシステム制御部４は、かかるサムネイル一覧画面２０に表示されたサムネイル２１（図２）の中から１つのサムネイル２１が選択され、かつ、図示しないメニューの中から「サムネイルに設定」の項目が選択されるのを待ち受ける（ＳＰ１１）。
【００６０】
そしてシステム制御部４は、やがてこのような入力が与えられると、ディスク５に格納されているサムネイル管理テーブル２２（図３）を参照して、当該ディスク５に記録されている各動画映像情報にそれぞれ設定されたサムネイルの画像情報等をディスク５から読み出し、これら読み出した画像情報等に基づいて図７について上述した第１のサムネイル設定画面５０を表示部７に表示させる（ＳＰ１２）。
【００６１】
次いでシステム制御部４は、かかる第１のサムネイル設定画面５０において、動画一覧表示部５２に表示されたいずれかのサムネイル５５が選択されるのを待ち受ける（ＳＰ１３）。そしてシステム制御部４は、かかる動画一覧表示部５２に表示されたサムネイル５５の中から１つのサムネイル５５がユーザ操作により選択されると、ディスク５に格納されているサムネイル管理テーブル２２に基づいて、そのサムネイル５５が、対応する動画映像情報に基づく動画の先頭フレームのフレーム画像のサムネイルであるか否か（サムネイル管理テーブル２２の対応するエントリのサムネイル種類欄２２Ｂに「００」が設定されているか否か）を判断する（ＳＰ１４）。
【００６２】
システム制御部４は、この判断において否定結果を得るとステップＳＰ１７に進み、これに対して肯定結果を得ると、その動画映像情報に設定されているサムネイルを変更しても良いか否かを確認するための例えば図９に示すようなダイアログ（以下、これをサムネイル変更可否確認ダイアログと呼ぶ）６０を表示部７に表示させる（ＳＰ１５）。
【００６３】
続いてシステム制御部４は、かかるサムネイル変更可否確認ダイアログ６０において「はい」ボタン６１Ａ及び「いいえ」ボタン６１Ｂのいずれかが選択されるのを待ち受け（ＳＰ１６）、「いいえ」ボタン６１Ｂが選択されたときには、この第２のサムネイル設定処理を終了する。従って、この場合には、そのとき第１のサムネイル設定画面５０の選択静止画表示部５１にサムネイル５４が表示されている静止画を、ステップＳＰ１３において選択されたサムネイル５５（図７）が設定されている動画映像情報のサムネイル用静止画として関連付けないまま、第２のサムネイル設定処理が終了することになる。
【００６４】
これに対してシステム制御部４は、サムネイル変更可否確認ダイアログ６０の「はい」ボタン６１Ａが選択されると、第１のサムネイル設定画面５０の選択静止画表示部５１にサムネイル５４が表示されている静止画を、ステップＳＰ１３において選択されたサムネイル５５（図７）が設定されている動画映像情報のサムネイル用静止画として関連付けるようにサムネイル管理テーブル２２（図３）を更新する。またシステム制御部４は、そのとき第１のサムネイル設定画面５０の選択静止画表示部５１に表示されているサムネイル５４の画像情報をディスク５に記録する（ＳＰ１７）。そしてシステム制御部４は、この後、この第２のサムネイル設定処理を終了する。
【００６５】
このような機能によって、ユーザは静止画の撮影を行った直後に、ビデオカメラ１の動作モードを動画モードに変更することなく、その静止画をディスク５に格納されている動画映像情報にサムネイル用静止画として設定することができる。なお、かかる第２のサムネイル設定処理のステップＳＰ１４の判定が常に否定結果となるようにユーザが設定可能とすることによって、速くサムネイルの変更を行いたいユーザにとって使い勝手が良くなる。
【００６６】
（１−２−１−３）第３のサムネイル設定方法
次に、第３のサムネイル設定方法について説明する。本実施の形態によるビデオカメラ１では、動画モードで動作させている状態において、ディスク５に記録されている動画映像情報に対して、そのときメモリカード６に記録されているいずれかの静止画映像情報に基づく静止画をサムネイル用静止画として設定することができる。
【００６７】
図１０は、かかる設定を行なうためのＧＵＩ画面（以下、これを第２のサムネイル設定画面と呼ぶ）７０の構成例を示している。この図１０に示すように、第２のサムネイル設定画面７０は、選択動画表示部７１及び静止画一覧表示部７２から構成される。
【００６８】
選択動画表示部７１には、『どの静止画を設定しますか？』とのメッセージ７３と、ディスク５に記録されている動画映像情報に基づく動画のうち、例えば図２について上述したサムネイル一覧画面２０上でユーザにより選択された動画に関連付けられているサムネイル用静止画のサムネイルとが表示される。
【００６９】
また静止画一覧表示部７２には、メモリカード６に記録されている各静止画映像情報のサムネイル７５が複数枚表示され、これらサムネイル７５の下側にその静止画映像情報に基づく静止画の撮影年月日及び時間が表示される。静止画一覧表示部７２に表示されたサムネイル７５は、所定操作によって１枚分ずつ左右方向にスクロールことができ、これによりメモリカード６に記録されているすべての静止画映像情報のサムネイル７５を静止画一覧部７２に順番に表示させることができる。
【００７０】
そして第２のサムネイル設定画面７０では、対応するサムネイル７４が選択動画表示部７１に表示された動画映像情報に関連付けるサムネイル用静止画として、静止画一覧表示部７２にサムネイル７５が表示された静止画の中から所望の静止画を１つ選択することができる。そして、このとき選択された静止画のサムネイル７５が強調表示される。
【００７１】
なお、図１０では、静止画一覧表示部７２にサムネイル７５を３枚ずつ表示するようにした場合について示しているが、ユーザが認識できる範囲でサムネイル７５のスケーリングを行い、静止画一覧表示部７２内により多くのサムネイル７５を表示するようにしても良い。
【００７２】
図１１は、このような第３のサムネイル設定方法に関するシステム制御部４の処理内容を示すフローチャートである。システム制御部４は、動作モードとして動画再生モードが設定されている状態において、ディスク５に記録された各動画映像情報に関連付けられたサムネイルの一覧画面の表示命令が入力されると、この図１１に示す第３のサムネイル設定処理を開始し、まず、図１６について後述するサムネイル一覧画面表示処理を実行することにより、図２について上述したサムネイル一覧画面２０を表示部７に表示させる（ＳＰ２０）。
【００７３】
続いてシステム制御部４は、かかるサムネイル一覧画面２０に表示されたサムネイル２１（図２）の中から１つのサムネイルが選択され、かつ、図示しないメニューの中から「サムネイルを変更」の項目が選択されるのを待ち受ける（ＳＰ２１）。
【００７４】
そしてシステム制御部４は、やがてこのような入力が与えられると、ディスク５に格納されているサムネイル管理テーブル２２（図３）を参照して、そのとき選択されたサムネイル２１は、当該サムネイル２１が関連付けられている動画映像情報に基づく動画の先頭フレームのフレーム画像のサムネイルであるか否かを判断する（ＳＰ２２）。
【００７５】
システム制御部４は、この判断において否定結果を得るとステップＳＰ２５に進み、これに対して肯定結果を得ると、図９について上述したサムネイル変更可否確認ダイアログ６０を表示部７に表示させる（ＳＰ２３）。
【００７６】
続いてシステム制御部４は、かかるサムネイル変更可否確認ダイアログ６０の「はい」ボタン６１Ａ及び「いいえ」ボタン６１Ｂのいずれかが選択されるのを待ち受け（ＳＰ２４）、「いいえ」ボタン６１Ｂが選択されたときには、この第３のサムネイル設定処理を終了する。従って、この場合には、そのとき対象としている動画映像情報（ステップＳＰ２１において選択されたサムネイル２１（図２）が関連付けられた動画映像情報）のサムネイルの変更が行なわれないまま第３のサムネイル設定処理が終了することになる。
【００７７】
これに対してシステム制御部４は、サムネイル変更可否確認ダイアログ６０の「はい」ボタン６１Ａが選択されると、図１０について上述した第２のサムネイル設定画面７０を表示部７に表示させ（ＳＰ２５）、この後、かかる第２のサムネイル設定画面７０において、静止画一覧表示部７２に表示されたいずれかのサムネイル７５が選択されるのを待ち受ける（ＳＰ２６）。
【００７８】
そしてシステム制御部６は、かかる静止画一覧表示部７２に表示されたサムネイル７５の中から１つのサムネイル７５が選択されると、そのサムネイル７５を、そのとき選択動画表示部７１にサムネイル７４が表示されている動画映像情報のサムネイル用静止画として設定するようにサムネイル管理テーブル２２（図３）を更新すると共に、そのサムネイル７４の画像情報をディスク５に記録する（ＳＰ２７）。そしてシステム制御部４は、この後、この第３のサムネイル設定処理を終了する。
【００７９】
このような機能によって、撮影した幾つかの動画に対して予め撮影した静止画のサムネイルをまとめて設定することができるため、ユーザの使い勝手を向上させることができる。
【００８０】
（１−２−１−４）第４のサムネイル設定方法
次に、第４のサムネイル設定方法について説明する。本実施の形態によるビデオカメラ１では、ディスク５に記録されている動画映像情報に対して、以下のようにして当該動画映像情報に基づく動画中の任意の１フレームのフレーム画像をその動画映像情報のサムネイル用静止画として関連付けることができる。
【００８１】
すなわち、ユーザは、まず、所定操作により、ディスク５に記録されている各動画映像情報にそれぞれ設定されたサムネイルの一覧が表示された上述のサムネイル一覧画面２０（図２）を表示部７に表示させる。そしてユーザは、かかるサムネイル一覧画面２０に表示された幾つかのサムネイル２１の中から所望の動画と対応するサムネイル２１を選択し、その後図示しないメニューから「サムネイルの設定（フレーム）」という項目を選択する。この結果、図１２に示すようなフレーム指定画面８０が表示部７に表示される。
【００８２】
このフレーム指定画面８０では、そのとき対象としている動画映像情報の再生動画が背景として表示され、当該再生動画上に『どのフレームをサムネイルにしますか？』というメッセージ８１と、スライダバー８２及び当該スライダバー８２上をスライドするスライダ８３とが表示される。
【００８３】
そしてフレーム指定画面８０では、そのとき表示されている再生動画の現在のタイムコードに応じたスライダバー８２上の位置にスライダ８３が表示されると共に、所定操作によりスライダ８３をスライダバー８２に沿って移動させることによって、移動後のスライダ８３の位置に応じたフレーム画像をフレーム指定画面８３の背景として表示部７に表示させることができる。
【００８４】
かくしてユーザは、必要に応じてスライダ８３を動かしながら、所望のフレーム画像がフレーム指定画面８０の背景として表示されているタイミングでシャッタボタンを押下することによって、かかるフレーム画像をそのとき対象としている動画映像情報のサムネイル用静止画として関連付けることができる。この場合システム制御部４は、ディスク５に格納されているサムネイル管理テーブル２２（図３）を、これに応じて更新する。
【００８５】
（１−２−２）サムネイル復元機能
ところで、ユーザが誤ってサムネイルを変更してしまった場合に、元の状態に戻せると便利である。そのための手段として、システム制御部４は、図１３に示すようなサムネイル変更履歴管理テーブル９０をディスク５上に保持している。
【００８６】
このサムネイル変更履歴管理テーブル９０は、ディスク５に格納された各動画映像情報にそれぞれ関連付けられたサムネイル用静止画の変更履歴を管理するためのテーブルであり、動画パス名及びファイル名欄９０Ａ、サムネイル変更履歴欄９０Ｂ及びサムネイル用静止画所在欄９０Ｃから構成される。
【００８７】
そして動画パス名及びファイル名欄９０Ａには、ディスク５に記録された各動画映像情報のファイルへのパス名及びそのファイルのファイル名がそれぞれ格納される。またサムネイル変更履歴欄９０Ｂには、対応する動画映像情報に関連付けられたサムネイル用静止画が変更されたことがあるときには「１」、変更されたことがないときには「０」が格納される。さらにサムネイル用静止画所在欄９０Ｃには、サムネイル用静止画が変更されたことがある場合に、現在のサムネイル用静止画の１つ前に関連付けられていたサムネイル用静止画の所在が格納される。
【００８８】
例えば図１３では、「dirname」というパス上に存在する「xxx001.mpeg」というファイル名の動画映像情報については、現在のサムネイル用静止画の１つ前に「yyy024.jpeg」というファイル名の静止画映像情報に基づく静止画がサムネイル用静止画として関連付けられていたことが示されている。また「dirname」というパス上に存在する「xxx002.mpeg」というファイル名の動画映像情報については、サムネイル用静止画が過去に変更されたことがないことが示されている。さらに、「dirname」というパス上に存在する「xxx003.mpeg」というファイル名の動画映像情報については、現在のサムネイル用静止画の１つ前にはその動画の「yy:mm:ss:ff」というタイムコードのフレームのフレーム画像がサムネイル用静止画として関連付けられていたことが示されている。
【００８９】
そしてシステム制御部４は、上述のようなサムネイル変更履歴管理テーブル９０をディスク５上に作成し、動画映像情報がディスク５に記録されてその動画映像情報にサムネイル用静止画が関連付けられたり、その動画映像情報に関連付けられたサムネイル用静止画が変更されるごとに、このサムネイル変更履歴管理テーブル９０を更新するようになされている。
【００９０】
図１４は、変更したサムネイルを変更直前のサムネイルに復元する設定を行うためのＧＵＩ画面（以下、これをサムネイル復元画面と呼ぶ）１００を示している。このサムネイル復元画面１００は、例えば図２について上述したサムネイル一覧画面２０上において所望する動画映像情報に設定された１つのサムネイル２１（図２）を選択したうえで、図示しないメニューから「サムネイルの復元」という項目を選択することにより表示部７に表示させることができる。
【００９１】
このサムネイル復元画面１００には、『どのサムネイルに復元しますか？』というメッセージ１０１と、「前回のサムネイル」ボタン１０２、「先頭フレーム」ボタン１０３及び「指定フレーム」ボタン１０４とが表示される。またサムネイル復元画面１００には、そのとき対象としている動画映像情報（サムネイル一覧画面２０上で選択したサムネイル２１に関連付けられている動画映像情報）に対して１つ前に関連付けられていたサムネイル用静止画のサムネイル（以下、これを前サムネイルと呼ぶ）１０５が「前回のサムネイル」ボタン１０２と対応付けて表示されると共に、その動画映像情報に基づく動画の先頭フレームのフレーム画像のサムネイル１０６が「先頭フレーム」ボタン１０３に対応付けて表示される。
【００９２】
そして、このサムネイル復元画面１００では、「前回のサムネイル」ボタン１０２を選択することによって、そのときサムネイル復元画面１００上に表示されている前サムネイル１０５を、そのとき対象としている動画映像情報の新たなサムネイルとして設定することができる。またサムネイル復元画面１００では、「先頭フレーム」ボタン１０３を選択することによって、そのときサムネイル復元画面１００上に表示されている当該動画の先頭フレームのフレーム画像のサムネイル１０６を、そのとき対象としている動画映像情報の新たなサムネイルとして設定することができる。
【００９３】
さらにサムネイル復元画面１００では、「指定フレーム」ボタン１０３をクリックすることによって、図１２について上述したフレーム指定画面８０を表示させることができる。かくしてユーザは、このフレーム指定画面８０を利用して、そのとき対象としている動画映像情報に基づく動画中の所望のフレームのフレーム画像を、当該動画映像情報のサムネイル用静止画として関連付けることができる。
【００９４】
図１５は、このようなサムネイル復元処理に関するシステム制御部４の処理内容を示すフローチャートである。システム制御部４は、ディスク５に記録された各動画映像情報にそれぞれ関連付けられたサムネイルの一覧画面の表示命令が入力されると、この図１５に示すサムネイル復元処理を開始し、まず、図１６について後述するサムネイル一覧画面表示処理を実行することにより、図２について上述したサムネイル一覧画面２０を表示部７に表示させる（ＳＰ３０）。
【００９５】
続いてシステム制御部４は、かかるサムネイル一覧画面２０に表示されたサムネイル２１（図２）の中から１つのサムネイルが選択され、かつ、図示しないメニューの中から「サムネイルを復元」という項目が選択されるのを待ち受ける（ＳＰ３１）。
【００９６】
そしてシステム制御部４は、やがてこのような入力が与えられると、ディスク５に記録されているサムネイル変更履歴管理テーブル９０（図１３）を参照して、図１４について上述したサムネイル復元画面１００を表示部７に表示させる（ＳＰ３２）。
【００９７】
次いでシステム制御部４は、復元後のサムネイルが選択されるのを待ち受ける（ＳＰ３３）。具体的には、システム制御部４は、かかるサムネイル復元画面１００上の「前回のサムネイル」ボタン１０２若しくは「先頭フレーム」ボタン１０３が選択され、又は「指定フレーム」ボタン１０４を選択したときに表示されるフレーム指定画面８０上でフレームが指定されるのを待ち受ける。
【００９８】
そしてシステム制御部４は、やがて復元後のサムネイルが選択されると、そのとき選択されたサムネイルが「前回のサムネイル」であるか否か（つまり「前回のサムネイル」ボタン１０２が選択されたか否か）を判断する（ＳＰ３４）。
【００９９】
システム制御部４は、この判断において肯定結果を得ると、上述のサムネイル変更履歴管理テーブル９０（図１３）を参照して、前回のサムネイルの元となる静止画の所在を検出し（ＳＰ３５）、この後、図６について上述した第１のサムネイル設定処理のステップＳＰ９と同様にして、その静止画をそのとき対象としている動画映像情報のサムネイル用静止画として設定する（ＳＰ３６）。
【０１００】
これに対してシステム制御部４は、かかる判断において否定結果を得ると、図６について上述した第１のサムネイル設定処理のステップＳＰ９と同様にして、ステップＳＰ３３において選択された復元後のサムネイルが「先頭フレーム」のサムネイルであるときには（つまり「先頭フレーム」ボタン１０３が選択されたときには）、そのとき対象としている動画映像情報に基づく動画の先頭フレームのフレーム画像を復元後のサムネイル用静止画として設定する。またシステム制御部４は、ステップＳＰ３３において選択された復元後のサムネイルが当該動画中のユーザが指定したフレーム画像のサムネイルであるときには（つまり「指定フレーム」ボタン１０４が選択されてフレーム指定画面８０でフレームが指定されたときには）、当該フレームのフレーム画像を復元後のサムネイル用静止画として設定する（ＳＰ３６）。
【０１０１】
続いてシステム制御部４は、スディスク５に格納されているサムネイル変更履歴管理テーブル９０を、テップＳＰ３６におけるサムネイルの設定変更に応じて更新し（ＳＰ３７）、この後、このサムネイル復元処理を終了する。
【０１０２】
（１−２−３）サムネイル一覧表示機能
次に、ディスク５に記録された各動画映像情報にそれぞれ設定されたサムネイルを、図２について上述したサムネイル一覧画面２０上に一覧表示する際のシステム制御部４の処理内容について説明する。
【０１０３】
図１６は、ディスク５に記録された各動画映像情報にそれぞれ設定されたサムネイルのサムネイル一覧画面２０を表示する場合におけるシステム制御部４の処理内容を示すフローチャートである。
【０１０４】
システム制御部４は、かかるサムネイル一覧画面２０の表示命令が入力されると、この図１６に示すサムネイル一覧画面表示処理を開始し、まず、サムネイルが表示されていないサムネイル一覧画面２０を表示部７に表示させ（ＳＰ４０）、この後、ディスク５に格納されているサムネイル管理テーブル２２（図３）の全体を読み出す（ＳＰ４１）。
【０１０５】
続いてシステム制御部４は、ステップＳＰ４１において読み出したサムネイル管理テーブル２２の先頭のエントリのサムネイル種類欄２２Ｂを参照して、そのエントリに対応する動画映像情報に対して、当該動画映像情報に基づく動画の先頭フレームのフレーム画像と、当該動画中のユーザにより選択された任意の１フレーム分のフレーム画像と、任意の静止画とのうちのいずれがサムネイル用静止画として関連付けられているかを判定する（ＳＰ４２）。
【０１０６】
そしてシステム制御部４は、かかる動画映像情報に関連付けられたサムネイル用静止画が当該動画映像情報に基づく動画の先頭フレームのフレーム画像であった場合（つまりサムネイル管理テーブル２２の対応するサムネイル種類欄２２Ｂに「００」が格納されていた場合）には、かかる先頭フレームのフレーム画像の画像情報をディスク５から読み出し、このフレーム画像のサムネイルを画像サイズ変更部１６において生成させた後、そのサムネイルをステップＳＰ４０で表示部７に表示させたサムネイル一覧画面２０上に表示させる（ＳＰ４３）。
【０１０７】
これに対してシステム制御部４は、かかる動画映像情報に関連付けられたサムネイル用静止画が、当該動画中のユーザにより選択された任意の１フレーム分のフレーム画像又は任意の静止画であった場合（つまりサムネイル管理テーブル２２の対応するサムネイル種類欄２２Ｂに「０１」又は「１０」が格納されていた場合）には、対応するフレーム画像の画像情報又は対応するサムネイルの画像情報をディスク５から読み出す。なおシステム制御部４は、この際フレーム画像の画像情報を読み出した場合には、そのフレーム画像のサムネイルを画像サイズ変更部１６に生成させる。そしてシステム制御部４は、このようにして得られたサムネイルをステップＳＰ４０で表示部７に表示させたサムネイル一覧画面２０上に表示させる（ＳＰ４４）。
【０１０８】
続いてシステム制御部４は、サムネイル管理テーブル２２に次のエントリがあるか否かを判断し（ＳＰ４５）、肯定結果を得ると、ステップＳＰ４２に戻る。この後、システム制御部４は、同様の処理を繰り返す（ＳＰ４２〜ＳＰ４５）。これにより、ディスク５に記録されている各動画映像情報にそれぞれ設定されているサムネイルが、そのとき表示部７に表示されているサムネイル一覧画面２０上に順次表示されていくことになる。そしてシステム制御部４は、やがてかかるサムネイル管理テーブル２２上のすべてのエントリについて同様の処理をし終えると、このサムネイル一覧画面表示処理を終了する。
【０１０９】
（１−２−４）サムネイル情報表示機能
次に、サムネイル情報表示機能について説明する。本実施の形態によるビデオカメラ１には、ディスク５に記録された各動画映像情報に対して、当該動画映像情報に基づく動画の先頭フレームのフレーム画像と、当該動画中のユーザにより選択された任意の１フレーム分のフレーム画像と、任意の静止画とのうちのいずれがサムネイル用静止画として関連付けられているかを表示するサムネイル情報表示機能が搭載されている。
【０１１０】
実際上、このビデオカメラ１においては、図２について上述したサムネイル一覧画面２０上の所望のサムネイル２１（図２）を選択し、その後、メニューから「情報表示」の項目を選択することによって、図１７に示すようなサムネイル情報表示画面１１０を表示させることができる。
【０１１１】
このサムネイル情報表示画面１１０には、サムネイル表示欄１１１、動画情報表示欄１１２及びサムネイル情報表示欄１１３が設けられている。そしてサムネイル表示欄１１１には、そのときサムネイル一覧画面２０上でユーザが選択したサムネイルが表示される。なお、このサムネイル表示欄１１１にサムネイルではなく、対応する動画映像情報の再生動画を表示するようにしても良い。
【０１１２】
また動画情報表示欄１１２には、かかる動画映像情報に基づく動画の撮影日時が表示される。ただし、撮影日時以外の例えばユーザが別途設定した当該動画のタイトルや、当該動画の長さ及び又は画質モードなどを併せて表示するようにしても良い。
【０１１３】
さらにサムネイル情報表示欄１１３には、サムネイル表示欄１１１に表示されているサムネイルの元の静止画が、当該動画映像情報に基づく動画の先頭フレームのフレーム画像と、当該動画中のユーザにより選択された任意の１フレーム分のフレーム画像と、任意の静止画とのうちのいずれであるかを表す情報が表示される。
【０１１４】
例えば図１７の例では、かかる動画映像情報のサムネイル用静止画が当該動画映像情報に基づく動画の先頭フレームのフレーム画像であるため、サムネイル情報表示欄１１３に『先頭フレームがサムネイルに設定されています。』とのメッセージが表示されているが、例えばかかる動画映像情報にユーザが指定した任意の静止画が関連付けられている場合には、『ユーザ指定の静止画がサムネイルに指定されています。』といったメッセージを表示すれば良い。
【０１１５】
ここで、１つの動画映像情報に対して複数の静止画が関連付けられている場合の、サムネイル情報表示画面について述べる。関連付けられた複数の静止画は、動画映像情報の内容を補足するものとして、ユーザが動画映像情報の内容をより効率的に把握するために利用可能である。図１８は、図２について上述したサムネイル一覧画面２０上で、複数の静止画が関連付けられている動画映像情報のサムネイル２１（図２）を選択し、その後メニューから「情報表示」の項目を選択した際に、図１７の代わりに表示されるサムネイル情報表示画面１１４である。
【０１１６】
このサムネイル情報表示画面１１４には、サムネイル表示欄１１５、動画情報表示欄１１６、サムネイル情報表示欄１１７及び動画映像情報に関連付けされた静止画表示欄１１８が設けられている。静止画表示欄１１８以外の機能については、図１７で説明した通りである。ただし、サムネイル表示欄１１５に静止画を表示する場合は、動画映像情報に関連付けられた複数の静止画から、サムネイル用静止画として指定された静止画を表示する。その方法はここでは図示しないが、たとえばメニュー操作などで行う。前記複数の静止画のうち、いずれの静止画もサムネイル用静止画として指定されていない場合は、例えば、最初に動画に関連付けされた静止画をサムネイル用静止画として使用する。
【０１１７】
静止画表示欄１１８には、動画映像情報に関連付けられた、サムネイル表示欄１１５に表示された静止画を含む全ての静止画を表示する。静止画表示欄１１８に表示されたサムネイルは、所定操作によって左右方向にスクロールことができ、これにより関連付けられているすべての静止画映像情報のサムネイルを静止画表示欄１１８に順番に表示することができる。
【０１１８】
図１９は、このようなサムネイル情報表示機能に関するシステム制御部４の処理内容を示すフローチャートである。システム制御部４は、このフローチャートに従って、かかるサムネイル情報表示機能をユーザに提供するための制御処理を実行する。
【０１１９】
すなわちシステム制御部４は、ディスク５に記録された各動画についてのサムネイル一覧画面２０（図２）の表示命令が入力されると、この図１９に示すサムネイル情報表示処理を開始し、まず、図１７について上述したサムネイル一覧画面表示処理を実行することにより、かかるサムネイル一覧画面２０を表示部７に表示させる（ＳＰ５０）。
【０１２０】
続いてシステム制御部４は、かかるサムネイル一覧画面２０に表示されたサムネイル２１（図２）の中からいずれかのサムネイル２１が選択され、その後、メニューから「情報表示」の項目を選択されるのを待ち受ける（ＳＰ５１）。
【０１２１】
そしてシステム制御部４は、かかる入力が与えられると、サムネイル管理テーブル２２（図３）やディスク５に格納されている他の管理テーブル等から必要な情報を読み出し（ＳＰ５２）、この情報に基づいて図１７について上述した情報表示画面１１０を表示部７に表示させる（ＳＰ５３）。例えばシステム制御部４は、サムネイル管理テーブル２２上の対応するエントリのサムネイル種類欄２２Ｂに格納されているコードが「００」であったときには、『先頭フレームがサムネイルに設定されています。』とのメッセージをサムネイル情報表示欄１１３に表示する。またシステム制御部４は、かかるコードが「０１」であったときには、『ユーザ指定のフレームがサムネイルに指定されています。』とのメッセージを、さらに当該コードが「１０」であったときには、『ユーザ指定の静止画がサムネイルに指定されています。』といったメッセージをサムネイル情報表示欄１１３に表示する。そしてシステム制御部４は、この後、このサムネイル情報表示処理を終了する。
【０１２２】
このような機能により、ディスク５に記録されている各動画映像情報にどのような画像がサムネイル用静止画として設定されているかをユーザが容易に知ることができる。
【０１２３】
なお、ユーザによってサムネイルが設定されている場合、すなわちディスク５に記録された動画映像情報に対して、当該動画映像情報に基づく動画中のユーザにより選択された任意の１フレーム分のフレーム画像又は任意の静止画がサムネイル用静止画として関連付けられている場合にのみ、例えば図２０に示すように、サムネイル一覧画面２０に表示された対応するサムネイル２１上に所定形状のアイコン１２０を表示するようにすれば、ディスク５に記録されている各動画映像情報にそれぞれ設定されたサムネイルに関する情報をより認識し易くユーザに提示することができる。
【０１２４】
またこの際、動画映像情報に対しサムネイル用静止画として、当該動画映像情報に基づく動画中のユーザにより選択された任意の１フレーム分のフレーム画像が関連付けられている場合と、任意の静止画が関連付けられている場合とでアイコン１２０の色や形状を変えるようにすれば、よりユーザの使い勝手を向上させることができる。
【０１２５】
（１−３）本実施の形態の効果
以上のように本実施の形態のビデオカメラ１では、ディスク５に記録された動画映像情報に対して、当該動画映像情報に基づく動画の撮影直後に撮影した静止画と、ディスク５に記録されている任意の静止画と、当該動画映像情報に基づく動画中の任意のフレームのフレーム画像とのうちの指定された画像をサムネイル用静止画として関連付けることができるため、記録された動画映像情報の内容を最も良く表すサムネイルをユーザが手軽に作成することができる。かくするにつき、ディスク５に記録された動画映像情報数が増加した場合でも、ユーザは目的の動画映像情報を素早く探し出せるようになり、かくしてユーザの使い勝手を格段的に向上させることができる。
【０１２６】
（２）第２の実施の形態
（２−１）第２の実施の形態によるビデオカメラの構成
図１との対応部分に同一符号を付して示す図２１は、第２の実施の形態によるビデオカメラ１３０を示す。このビデオカメラ１３０は、ユーザインタフェース１３１として、第１の実施の形態によるユーザインタフェース部３に加えて、サムネイル用静止画を撮影するための専用のボタン（以下、これをサムネイルボタンと呼ぶ）１３２が設けられている点と、このサムネイルボタン１３２が押下された場合にシステム制御部１３３が図２２又は図２３に示す処理を実行する点とを除いて、第１の実施の形態によるビデオカメラ１と同様に構成されている。
【０１２７】
すなわちこの実施の形態によるビデオカメラ１３０の場合、カメラスルー画像が表示部７に表示されている状態においてサムネイルボタン１３２が押下された場合に、そのときのビデオカメラ１３０の動作モードが静止画モード及び動画モードのいずれのモードに設定されているか否かに関わりなく、サムネイルボタン１３２が押下されたタイミングで静止画を撮影し、かくして得られた静止画をサムネイル用静止画として、予めディスク５に記録されている動画映像情報の中からユーザにより指定された動画映像情報に関連付けることができる機能が搭載されている。
【０１２８】
図２２は、このような機能に関するシステム制御部１３３の処理内容を示すフローチャートである。システム制御部１３３は、カメラスルー画像が表示部７に表示されている状態において、サムネイルボタン１３２が押下されると、この図２２に示す第５のサムネイル設定処理を開始し、まず、ＣＯＤＥＣ部１１に、かかるサムネイルボタン１３２が押下されたタイミングで当該ＣＯＤＥＣ部１１に入力したディジタル撮像信号に基づく１フレーム分の画像情報を取得させる。またシステム制御部１３３は、画像サイズ変換部１６に、この画像情報に基づいて、当該画像情報に基づく静止画のサムネイルの画像情報を生成させ、これをＲＡＭ１３に格納させる（ＳＰ６０）。
【０１２９】
続いてシステム制御部１３３は、ディスク５に格納されているサムネイル管理テーブル２２（図３）を参照して、当該ディスク５に記録されている各動画映像情報にそれぞれ設定されたサムネイルの画像情報等をディスク５から読み出し、これら読み出した画像情報等と、ステップＳＰ６０において作成したサムネイルの画像情報とに基づいて図７について上述した第１のサムネイル設定画面５０を作成し、これを表示部７に表示させる（ＳＰ６１）。
【０１３０】
この後システム制御部１３３は、図８について上述した第２のサムネイル設定処理のステップＳＰ１３〜ステップＳＰ１７と同様の処理を実行する（ＳＰ６２〜ＳＰ６６）。これにより、サムネイルボタン１３２が押下されたタイミングで取得された静止画のサムネイルが第１のサムネイル設定画面５０においてユーザにより選択された動画映像情報のサムネイルとして設定される。そしてシステム制御部１３３は、この後この第５のサムネイル設定処理を終了する。
【０１３１】
このような機能によって、ユーザが図２について上述したサムネイル一覧画面２０を表示部７に表示させることなく、ディスク５に記録されている動画映像情報に対してサムネイル用静止画を設定することができる。なお、ステップＳＰ６０において作成したサムネイルの画像情報をメモリカード６に保存するようにしても良いが、かかる保存を行なうか否かをユーザが設定できるようにすれば、より使い勝手を向上させることができる。
【０１３２】
一方、このビデオカメラ１では、ディスク５に記録されている動画映像情報の再生中にサムネイルボタン１３２を押下することによって、そのとき再生していたフレームのフレーム画像を当該動画映像情報のサムネイル用静止画として設定することができる機能が搭載されている。
【０１３３】
図２３は、このような機能に関するシステム制御部１３３の処理内容を示すフローチャートである。システム制御部１３３は、ディスク５に記録されている動画映像情報の再生中にサムネイルボタン１３２が押下されると、この図２３に示す第６のサムネイル設定処理を開始し、まず、図２２について上述した第５のサムネイル設定処理のステップＳＰ６０と同様にして、そのとき再生していた動画映像情報に基づく動画のうちのサムネイルスイッチ１３２が押下されたタイミングのフレームのフレーム画像をＣＯＤＥＣ部１１に取得させ、このフレーム画像のサムネイルを画像サイズ変換部１６に生成させる（ＳＰ７０）。
【０１３４】
この後システム制御部１３２は、図８について上述した第１のサムネイル設定処理のステップＳＰ１４〜ステップＳＰ１７と同様の処理を実行する（ＳＰ７１〜ＳＰ７４）。これにより、サムネイルボタン１３２が押下されたタイミングで取得されたフレーム画像のサムネイルがそのとき再生されていた動画映像情報のサムネイルとして設定される。そしてシステム制御部１３３は、この後この第６のサムネイル設定処理を終了する。
【０１３５】
このような機能によって、ユーザは、動画映像情報に基づく動画中の任意のフレームのフレーム画像のサムネイルを、極めて容易に当該動画映像情報のサムネイルとして設定することができる。
【０１３６】
（２−２）本実施の形態の効果
以上のように本実施の形態によるビデオカメラ１３０では、サムネイル用静止画を撮影するための専用のボタンでなるサムネイルボタン１３２を設け、当該サムネイルボタン１３２を押下することにより得られた静止画を直ちにディスク５に記録されている動画映像情報に関連付けたり、動画映像情報の再生時にサムネイルボタン１３２を押下することによって、そのとき再生されているフレームのフレーム画像をサムネイル用静止画として当該動画映像情報に関連付けることができるため、ディスク５に記録されている動画映像情報に対するサムネイルの設定を容易化することができ、かくしてユーザの使い勝手を格段的に向上させることができる。
【０１３７】
（３）他の実施の形態
なお上述の第１及び第２の実施の形態においては、本発明を図１又は図１３のように構成されたビデオカメラ１，１３０に本発明を適用するようにした場合について述べたが、本発明はこれに限らず、例えば動画及び静止画の双方の記録再生機能が搭載されたディジタルカメラや携帯電話機など、この他種々の記録再生装置に広く本発明を適用することができる。
【０１３８】
また上述の第１及び第２の実施の形態においては、動画映像情報をディスク５に記録し、静止画映像情報をメモリカード６に記録するようにした場合について述べたが、本発明はこれに限らず、これら動画映像情報及び静止画映像情報をディスク５やメモリカード６以外の記録媒体に記録するようにしても良い。また動画映像情報及び静止画映像情報を同じ記録媒体に記録する場合にも、本発明を適用することができる。
【０１３９】
さらに上述の第１及び第２の実施の形態においては、ディスクの一例としてＤＶＤ−ＲＡＭを挙げたが、本発明はこれに限らず、例えばＤＶＤ−Ｒ、ＤＶＤ−ＲＷ、ＤＶＤ＋Ｒ又はＤＶＤ＋ＲＷなどの他の種類のＤＶＤや、ＢＤ（Blu-ray Disc）、ＨＤ（High Definition）−ＤＶＤ、ＣＤ（Compact Disc）又はＭＤ（Mini Disc）などの他のディスク状記録媒体もディスク５として適用することができる。同様に、上述の実施の形態のおいては、メモリカード６の一例としてＳＤカードを挙げたが、本発明はこれに限らず、この他種々の半導体メモリカードについてもメモリカード６として適用することができる。
【０１４０】
さらに上述の第１及び第２の実施の形態においては、図２について上述したサムネイル一覧画面２０にサムネイル２１（図２）のみを並べて表示するようにした場合について述べたが、本発明はこれに限らず、例えばサムネイル一覧画面２０の空き領域に各サムネイル２１にそれぞれ対応させて当該サムネイル２１と関連付けられた動画映像情報に基づく動画の撮影日時などの情報を表示するようにしても良い。
【０１４１】
さらに上述の実施の形態においては、サムネイル復元機能の説明において、ディスク５に記録された各動画映像情報にそれぞれ関連付けられたサムネイル用静止画の変更履歴情報として、１つ前のサムネイル用静止画に関する情報のみを記憶管理するようにした場合について述べたが、本発明はこれに限らず、２つ以上前のサムネイル用静止画に関する情報についても記憶管理するようにしても良い。
【０１４２】
さらに上述の第１及び第２の実施の形態においては、動画映像情報にサムネイル用静止画を関連付ける関連付け部を、ビデオカメラ１、１３０全体の動作制御を司るシステム制御部４，１３３により構成するようにした場合について述べたが、本発明はこれに限らず、例えばかかる関連付け部としての機能を有するハードウェアをシステム制御部４，１３３とは別に設けるようにしても良い。
【０１４３】
さらに上述の第１及び第２の実施の形態においては、ディスク５に記録された各動画映像情報にそれぞれ関連付けられたサムネイル用静止画のサムネイル一覧を表示するサムネイル一覧表示部を、システム制御部４，１３３及び表示部７により構成するようにした場合について述べたが、本発明はこれに限らず、このような機能をすべて表示部７にもたせるようにしても良い。
【図面の簡単な説明】
【０１４４】
【図１】第１の実施の形態によるビデオカメラの構成を示すブロック図である。
【図２】サムネイル一覧画面の構成例を示す概念図である。
【図３】サムネイル管理テーブルの構成を示す概念図である。
【図４】静止画撮影確認ダイアログの構成を示す略線図である。
【図５】サムネイル撮影モード画面の構成例を示す略線図である。
【図６】第１のサムネイル設定処理の処理手順を示すフローチャートである。
【図７】第１のサムネイル設定画面の構成例を略線的に示す略線図である。
【図８】第２のサムネイル設定処理の処理手順を示すフローチャートである。
【図９】サムネイル変更可否確認ダイアログの構成を示す略線図である。
【図１０】第２のサムネイル設定画面の構成例を略線的に示す略線図である。
【図１１】第３のサムネイル設定処理の処理手順を示すフローチャートである。
【図１２】フレーム指定画面の構成例を示す略線図である。
【図１３】サムネイル変更履歴管理テーブルの構成を示す概念図である。
【図１４】サムネイル復元画面の構成例を示す略線図である。
【図１５】サムネイル復元処理の処理手順を示すフローチャートである。
【図１６】サムネイル一覧画面表示処理の処理手順を示すフローチャートである。
【図１７】サムネイル情報表示画面の構成例を示す略線図である。
【図１８】１つの動画映像情報に対して複数の静止画が関連付けられている場合のサムネイル情報表示画面の構成例を示す略線図である。
【図１９】サムネイル情報表示処理の処理手順を示すフローチャートである。
【図２０】サムネイル一覧画面内のサムネイル上に表示されるアイコンの説明に供する略線図である。
【図２１】第２の実施の形態によるビデオカメラの構成を示すブロック図である。
【図２２】第５のサムネイル設定処理の処理手順を示すフローチャートである。
【図２３】第６のサムネイル設定処理の処理手順を示すフローチャートである。
【符号の説明】
【０１４５】
１，１３０……ビデオカメラ、３……ユーザインタフェース部、４，１３３……システム制御部、５……ディスク、６……メモリカード、７……表示部、１６……画像サイズ変換部、２０……サムネイル一覧画面、２１……サムネイル、２２……サムネイル管理テーブル、４０……サムネイル撮影モード画面、５０，７０……サムネイル設定画面、８０……フレーム指定画面、９０……サムネイル変更履歴管理テーブル、１００……サムネイル復元画面、１１０，１１４……サムネイル情報表示画面、１２０……アイコン、１３２……サムネイルボタン。
【図１】
2009171417.tif 000003
【図２】
2009171417.tif 000004
【図３】
2009171417.tif 000005
【図４】
2009171417.tif 000006
【図５】
2009171417.tif 000007
【図６】
2009171417.tif 000008
【図７】
2009171417.tif 000009
【図８】
2009171417.tif 000010
【図９】
2009171417.tif 000011
【図１０】
2009171417.tif 000012
【図１１】
2009171417.tif 000013
【図１２】
2009171417.tif 000014
【図１３】
2009171417.tif 000015
【図１４】
2009171417.tif 000016
【図１５】
2009171417.tif 000017
【図１６】
2009171417.tif 000018
【図１７】
2009171417.tif 000019
【図１８】
2009171417.tif 000020
【図１９】
2009171417.tif 000021
【図２０】
2009171417.tif 000022
【図２１】
2009171417.tif 000023
【図２２】
2009171417.tif 000024
【図２３】
2009171417.tif 000025